(57)【要約】【課題】デザインの構成上、ユーザが容易に触れることのできる外筐部にシャープエッジを付けざるを得ないように構成された筐体のシャープエッジによる危険を、簡単な構成でデザインを損なうことなく回避する。【解決手段】本体２とこの本体２の上面及び側面より外側に出っ張るように形成され前面パネル３とからなり、前面パネル３の後端面の角部４１にシャープエッジ４３が形成されているオーデオ装置などの筐体１において、シャープエッジ４３の内側に小さなボス４５を形成する。シャープエッジ４３に指を触れた場合シャープエッジ一点に集中するする力がボス４５を設けたことによりシャープエッジ４３とボス４５の二点に分散されるので、シャープエッジに触れても怪我する恐れが減少する。ボスはシャープエッジの内側に設けられているので、デザイン上のシャープエッジとしての外観を保つことができる。【選択図】  図１
2004296029.tif 000002
【特許請求の範囲】
【請求項１】
デザインの構成として手が容易に触れることのできる部分にシャープエッジを有する筐体において、
前記シャープエッジの近傍に、シャープエッジの一点に集中する力を逃がすことができる小さなボスが設けられていることを特徴とするシャープエッジを解消するボスを有する筐体。
【請求項２】
請求項１に記載の筐体において、
前記筐体は、本体と、該本体の上面及び側面より外側に段差を持つように形成された前面パネルとからなり、前記シャープエッジが前面パネルの後端面の角部に形成されているオーデオ装置などの筐体であることを特徴とするシャープエッジを解消するボスを有する筐体。
【発明の詳細な説明】
【０００１】
【発明の属する技術分野】
本発明は、デザイン上、外筐部にシャープエッジを付けざるを得ない構成の筐体において、外観を損なうことなく安全に使用できるようにシャープエッジ近傍にボス（突起物）を設けた、シャープエッジを解消するボスを有する筐体に関するものである。
【０００２】
【従来の技術】
通常、筐体は安全に使用できるように外筐部などにシャープエッジができないように作られるが、構造上シャープエッジが発生する筐体もある。従来、外筐部に発生したシャープエッジに対する対応策としては、シャープエッジを他の部品で隠して触れなくする方法や、鋭角なシャープエッジを作らないようにコーナの傾斜角度を大きくする方法、あるいは、外筐体のシャープエッジと高さが揃うように内筐体に凸リブを設ける方法（例えば、特許文献１参照）などが主に取られてきた。
【０００３】
【特許文献１】
特開平６−３００２８１号公報  （図１、図３）。
【０００４】
【発明が解決しようとする課題】
しかし、上記従来の筐体に発生するシャープエッジに対する対応方法は、シャープエッジの外観を考慮しないものであり、デザインの構成上、ユーザが容易に触れることのできる外筐部にシャープエッジを付けざるを得ない構成となっている筐体には適用できない。
【０００５】
本発明は、このような課題に鑑みてなされたものであり、デザインの構成上、ユーザが容易に触れることのできる外筐部にシャープエッジを付けざるを得ないように構成された筐体のシャープエッジによる危険を、デザインを損なうことなく回避することができるようにしたシャープエッジを解消するボスを有する筐体を提供することを目的とする。
【０００６】
【課題を解決するための手段】
上記課題を解決するため、本発明のシャープエッジを解消するボスを有する筐体は、デザインの構成として手が容易に触れることのできる部分にシャープエッジを有する筐体において、前記シャープエッジの近傍に、シャープエッジの一点に集中する力を逃がすことができる小さなボスを設けたことを特徴とするものである。
【０００７】
または、上記筐体は、本体と、該本体の上面及び側面より外側に段差を持つように形成された前面パネルとからなり、前記シャープエッジが前面パネルの後端面の角部に形成されているオーデオ装置などの筐体であることを特徴とするもにである。
【０００８】
【発明の実施の形態】
本発明の実施形態について図面を参照して説明する。図１に実施形態に係るシャープエッジを有するオーデオ機器（ミニコンポ）筐体のデザイン上のシャープエッジ形成部分を示し、図２、図３に筐体前面パネルの後面及び側面の詳細を示す。筐体１は図１に示すように、金属板をプレス加工して作られた後部キャビネット（本体）２と、樹脂成型により作られた前面パネル３とからなり、デザイン上の理由から、前面パネル３は本体２との間に１．２ｍｍの段差アが形成されるように、前面パネル３の上面３２及び側面３３の後端が本体２の上面２１及び側面２２の外側に突出するように構成されている。
【０００９】
また、前面パネル３は図２、図３に示すように、パネル部３１と上壁３２、側壁３３、底壁３４を有し、上壁３２の後端側に本体２の上壁２１内側に係合する係合片３５ａ〜３５ｄが設けられている。また、左右の側壁３３の後端側に本体２の側壁２２の内側に係合する係合片３６ａ〜３６ｃが設けられている。また、前面パネル３側壁３３の上下の角部３６、３７のＲと、前面パネル３の上壁３２、側壁３３、底壁３４の後端縁３２ａ、３３ａ、３４ａのＲはデザイン上の理由で略０に形成されている。
【００１０】
なお、前面パネル３のパネル部３１の上部５１には、テープレコード機構取付部５２、カセットホルダ取付部５３及びテープ取り出し、再生、停止、一時停止、録音等のテープ操作ボタン用穴５４ａ〜５４ｃなどが設けられている。また、その下の中間部分６１には、電源ボタン用穴６２、ＩＲ操作ボタン用穴６３、バンド切換え摘み用穴６４、モード選択ボタン、機能選択ボタン用等の穴６５ａ〜６５ｅ、チュウニング摘み用穴６６、音量調節摘み用穴６７、低、高音調整摘み用穴６８ａ、６８ｂなどが設けられている。またパネル部３１の下部７１には、ＣＤ出し入れ口７２、ＣＤ再生一時停止、停止、取り出し等のＣＤ操作ボタン用穴７３ａ〜７３ｃ、イヤホーンジャック取付け穴７４などが設けられている。
【００１１】
上記のように筐体１はデザイン上の理由で、前面パネル３と本体２との間に１．２ｍｍの段差が形成され、また、前面パネル３の角部３６，３７のＲ及び前面パネル３の後端縁３２ａ、３３ａ、３４ａのＲは略０に形成されていることにより、前面パネル３の上壁３２の後端と側壁３３の後端で形成される上側の後端角部４１の先端はデザイン上のシャープエッジ４３となっている。また、底壁３３の後端部と側壁３２の後端で形成される下側の後端角部４２の先端はデザイン上のシャープエッジ４４となっている。
【００１２】
図２、図３に示す前面パネル３上部の後端角部Ａ１、Ａ２部分の拡大図を図４に、図２、図３に示す前面パネル３下部の後端角部Ｂ１、Ｂ２部分のの拡大図を図５に示す。図４について、４５、４６は本発明に係る  “ステップ”と呼ばれるシャープエッジを解消するための小さい突起物（ボス）で、ボス４５は、シャープエッジ４３を形成している上壁３２後端縁３２ａ、側壁３３後端縁３３ａからそれぞれ０．１ｍｍ内側に離れた位置に、直径φ＝０．６ｍｍ、出っ張り高さｈ＝０．３ｍｍの半球形状に形成されている。また、ボス４６は、上記後端角部４２を形成している底壁３４の後端縁３４ａ及び側壁３３の後端縁３３ａの内側近くに位置するように、巾ａ＝０．３ｍｍ、縦方向長さｂ＝２，５ｍｍ、出っ張り高さｈ＝０．３ｍｍの線状で、下端部が半径Ｒ＝０．１５の半球形状に形成されている。
【００１３】
上記筐体１のデザイン上の理由で前面パネル３の後端角部４１に形成されたシャープエッジ４５内側に微小な半球形状のボス４５を設けたので、図６に示すように、シャープエッジ４３に指が触れると、指は同時にボス４５にも触れるので、ボス４５が無い場合シャープエッジ４３一点イに掛かる指の力がシャープエッジ４３とボス４５との二点イ、ウに分散されると共に、ボス４５があることによりワンクッションおけるため、指を怪我する危険性は大きく減少する。また、ボス４５は上記のように極めて小さく、シャープエッジ４３のエッジ面から離れた位置にあり目立たないので、筐体１のデザインに影響を及ぼすことがない。
【００１４】
また、シャープエッジ４４を形成する前面パネル３の下側の後端角部４２に小さな線状のボス４６を設けているので、上記図６の場合と同様に、シャープエッジ４６に指が触れても、力はシャープエッジ４４とボス４６の二点に分散されると共に、ボス４６があることによりワンクッションおけるため指を怪我する危険性は大きく減少する。
【００１５】
上記筐体１をシャープテスタでボス４５、４６が内側に形成されているシャープエッジ４３、４４を検査したが、シャープエッジは検出されなかった。また、ボス４６は線状をしているが極めて小さく、シャープエッジ４４の内側にあって目立たないので、筐体１のデザインに影響を及ぼすことがない。
【００１６】
上記ボス４６を線状に形成している理由は、前面パネル３の底部３４を形成するための金型が下方に抜くように構成されているためである。ボスの形状としてはボス４５のように半球形状の方がよい。
【００１７】
上記ボス４５，４６は全面パネル後端面に突設されているので、前面パネル３を成形する金型にボス形成用の穴又は溝を穿けるだけで形成することができ、コスト的に有利である。
【００１８】
【発明の効果】
本発明は、デザインの構成として手が容易に触れることのできる部分にシャープエッジを有する筐体において、前記シャープエッジの近傍に、シャープエッジの一点に集中するする力を逃がすことができる小さなボスを設けたので、ユーザが筐体のシャープエッジに触れても怪我する危険性が大きく減少する。ボスは小さくシャープエッジの近傍に目立たないように設けられているので、デザイン上のシャープエッジとしての外観を保つことができる。また、ボスは筐体の成形金型に窪み穴を設けるだけで形成できるので、コスト的に有利である。
【図面の簡単な説明】
【図１】本発明の実施形態に掛かる筐体の要部を示す斜視図。
【図２】前面パネルの後面図。
【図３】前面パネルの側面図。
【図４】前面パネル上部のシャープエッジ部拡大図。
【図５】前面パネル下部のシャープエッジ部拡大図。
【図６】シャープエッジ部のボスの作用説明図。
【符号の説明】
１…筐体、  ２…後部キャビネット（本体）、  ３…前面パネル、
３１…前面パネルのパネル部、  ３２…前面パネルの上壁、
３３…前面パネルの側壁、  ３３…前面パネルの底壁、
４１，４２…前面パネルの後端角部、
４３、４４…シャープエッジ、  ４５、４６…ボス。
【図１】
2004296029.tif 000003
【図２】
2004296029.tif 000004
【図３】
2004296029.tif 000005
【図４】
2004296029.tif 000006
【図５】
2004296029.tif 000007
【図６】
2004296029.tif 000008